(57)【要約】【課題】電子機器から外部機器をより確実に取り外すことができる電子機器を得る。【解決手段】携帯機器基板７と携帯機器基板７に設けられた携帯機器コネクタ８とを備えた携帯機器２が取り付けられる検査装置１であって、検査装置基板３と、検査装置基板３に設けられ、携帯機器コネクタ８と接続される検査装置コネクタ４と、検査装置基板３に沿ってスライド可能な移動体５とを備え、移動体５は、携帯機器基板７が移動体５に乗り上がるようにスライドする。【選択図】図１
2011249528.tif 000002
【特許請求の範囲】
【請求項１】
外部機器基板と前記外部機器基板に設けられた外部機器コネクタとを備えた外部機器が取り付けられる電子機器であって、
電子機器基板と、
前記電子機器基板に設けられ、前記外部機器コネクタと接続される電子機器コネクタと、
前記電子機器基板に沿ってスライド可能な移動体とを備え、
前記移動体は、前記外部機器基板が前記移動体に乗り上がるようにスライドすることを特徴とする電子機器。
【請求項２】
前記移動体を案内するとともに、前記移動体がスライドする位置を規制する位置規制案内部材をさらに備えたことを特徴とする請求項１に記載の電子機器。
【請求項３】
前記移動体は、前記電子機器基板に対して傾斜した傾斜面を含み前記外部機器基板が乗り上がる傾斜部を有していることを特徴とする請求項１または請求項２に記載の電子機器。
【発明の詳細な説明】
【技術分野】
【０００１】
この発明は、外部機器が取り付けられる電子機器に関する。
【背景技術】
【０００２】
従来、電子機器と、外部機器とを備えた機器接続構造が知られている。電子機器は、第１の回路基板と、第１の回路基板に実装されたメス型コネクタとを有している。外部機器は、第２の回路基板と、第２の回路基板に実装されたオス型コネクタとを有している。オス型コネクタがメス型コネクタに挿入されることにより、外部機器が電子機器に取り付けられる（例えば、特許文献１参照）。
【先行技術文献】
【特許文献】
【０００３】
【特許文献１】特開平１１−２８３７１５号公報
【発明の概要】
【発明が解決しようとする課題】
【０００４】
しかしながら、メス型コネクタおよびオス型コネクタが小型化された場合、作業者がオス型コネクタをメス型コネクタから引き抜くことが困難となる。これにより、電子機器から外部機器を取り外すことが困難となるという問題点があった。
【０００５】
この発明は、電子機器から外部機器をより確実に取り外すことができる。
【課題を解決するための手段】
【０００６】
この発明に係る電子機器は、外部機器基板と前記外部機器基板に設けられた外部機器コネクタとを備えた外部機器が取り付けられる電子機器であって、電子機器基板と、前記電子機器基板に設けられ、前記外部機器コネクタと接続される電子機器コネクタと、前記電子機器基板に沿ってスライド可能な移動体とを備え、前記移動体は、前記外部機器基板が前記移動体に乗り上がるようにスライドする。
【発明の効果】
【０００７】
この発明に係る電子機器によれば、外部機器基板が移動体に乗り上がるように、移動体が電子機器基板に沿ってスライドするので、外部機器が電子機器から離れる方向へ外部機器をより確実に押圧することができ、電子機器から外部機器をより確実に取り外すことができる。
【図面の簡単な説明】
【０００８】
【図１】この発明の実施の形態１に係る検査装置および検査装置に取り付けられる携帯機器を示す側面図である。
【図２】図１の検査装置および携帯機器を示す平面図である。
【図３】図１の携帯機器が検査装置から離れる方向へ移動した状態を示す検査装置および携帯機器を示す側面図である。
【図４】図３の検査装置および携帯機器を示す平面図である。
【発明を実施するための形態】
【０００９】
実施の形態１．
図１はこの発明の実施の形態１に係る検査装置（電子機器）１および検査装置１に取り付けられる携帯機器（外部機器）２を示す側面図である。図において、検査装置１には、携帯機器２が取り付けられる。
【００１０】
検査装置１は、検査装置基板（電子機器基板）３と、検査装置基板３の表面に実装された検査装置コネクタ（電子機器コネクタ）４と、検査装置コネクタ４と隣接して検査装置基板３の表面に設けられた移動体５と、検査装置基板３の表面に固定された固定軸（位置規制案内部材）６とを備えている。
【００１１】
携帯機器２は、携帯機器基板（外部機器基板）７と、携帯機器基板７に実装された携帯機器コネクタ（外部機器コネクタ）８と、携帯機器基板７を補強する補強板９とを備えている。携帯機器基板７は、フレキシブル基板（ＦＰＣ）となっている。補強板９は、携帯機器コネクタ８と補強板９との間に携帯機器基板７が位置するように配置されている。補強板９に接触されている携帯機器基板７の面積は、携帯機器コネクタ８に接触されている携帯機器基板７の面積よりも大きくなっている。
【００１２】
図２は図１の検査装置１および携帯機器２を示す平面図である。移動体５は、移動体本体５ａと、移動体本体５ａと一体に形成された一対の傾斜部５ｂとを有している。移動体本体５ａは、直方体形状に形成されている。傾斜部５ｂは、移動体本体５ａの長手方向一端部に配置されている。傾斜部５ｂは、移動体本体５ａの長手方向端面から、移動体本体５ａの長手方向に延びて形成されている。各傾斜部５ｂは、移動体本体５ａの短手方向に互いに離れて配置されている。傾斜部５ｂ間の距離は、検査装置コネクタ４および携帯機器コネクタ８の幅の寸法よりも大きくなっている。各傾斜部５ｂは、検査装置基板３の表面に傾斜した傾斜面５ｃを含んでいる。傾斜面５ｃは、傾斜部５ｂの先端部から移動体本体５ａに近づくにつれて検査装置基板３の表面から離れるように傾斜している。
【００１３】
移動体本体５ａには、検査装置基板３に垂直な方向に移動体本体５ａを貫通した貫通孔５ｄが形成されている。貫通孔５ｄは、移動体本体５ａの長手方向に延びた長孔形状に形成されている。
【００１４】
固定軸６は、四角柱形状の形成されている。また、固定軸６は、検査装置基板３に立てられている。固定軸６の軸線は、検査装置基板３に対して垂直となっている。移動体５は、固定軸６が貫通孔５ｄに挿入されるように、検査装置基板３に取り付けられている。また、移動体５は、固定軸６が貫通孔５ｄに沿って移動するように、検査装置基板３に沿ってスライドする。つまり、移動体５は、固定軸６により案内される。
【００１５】
移動体５がスライドする位置は、固定軸６が貫通孔５ｄの長手方向両端面に当たることにより、規制される。移動体５は、携帯機器コネクタ８が検査装置コネクタ４に接続されているときに携帯機器基板７と当接する当接位置と、携帯機器コネクタ８が検査装置コネクタ４に接続されているときに携帯機器基板７から離れる離間位置との間でスライドする。移動体５は、移動体５が離間位置から当接位置へスライドしても、検査装置コネクタ４および携帯機器コネクタ８に接触しないようになっている。
【００１６】
次に動作について説明する。図３は図１の携帯機器２が検査装置１から離れる方向へ移動した状態を示す検査装置１および携帯機器２を示す側面図、図４は図３の検査装置１および携帯機器２を示す平面図である。携帯機器２を検査装置１に取り付けて、携帯機器２を検査した後、作業者は、移動体５を離間位置から当接位置へスライドさせる。これにより、携帯機器基板７が移動体５の傾斜面５ｃに乗り上がる。つまり、携帯機器２は、移動体５により、検査装置１から離れる方向へ押圧される。その結果、携帯機器コネクタ８が検査装置コネクタ４から引き抜かれて、携帯機器２が検査装置１から取り外される。
【００１７】
以上説明したように、この発明の実施の形態１に係る検査装置１によれば、携帯機器基板７が移動体５に乗り上がるように、移動体５が検査装置基板３に沿ってスライドするので、携帯機器２が検査装置１から離れる方向へ携帯機器２をより確実に押圧することができ、検査装置１から携帯機器２をより確実に取り外すことができる。
【００１８】
また、検査装置１から携帯機器２を取り外す際に、ピンセット等を用いる必要がないので、ピンセット等が検査装置基板３、検査装置コネクタ４、携帯機器基板７および携帯機器コネクタ８に当たることにより発生する検査装置基板３、検査装置コネクタ４、携帯機器基板７および携帯機器コネクタ８の損傷を防止することができ、また、検査装置コネクタ４が検査装置基板３から剥がれたり、携帯機器コネクタ８が携帯機器基板７から剥がれたりすることを防止することができる。
【００１９】
また、固定軸６は、移動体５を案内するので、携帯機器基板７が移動体５に乗り上がるように、移動体５を検査装置基板３に沿ってより確実にスライドさせることができる。
【００２０】
また、固定軸６は、移動体５がスライドする位置を規制するので、移動体５を離間位置から当接位置へ変位させたときに、移動体５が検査装置コネクタ４および携帯機器コネクタ８に接触することを防止することができる。これにより、検査装置コネクタ４および携帯機器コネクタ８の損傷を防止することができる。
【００２１】
また、移動体５は、検査装置基板３に対して傾斜した傾斜面５ｃを含み携帯機器基板７が乗り上がる傾斜部５ｂを有しているので、携帯機器基板７は、移動体５に滑らかに乗り上がることができる。
【００２２】
なお、上記実施の形態１では、検査装置基板３の表面に実装された検査装置コネクタ４について説明したが、検査装置基板３にスルーホール実装された電子機器コネクタであってもよい。
【００２３】
また、上記実施の形態１では、携帯機器基板７がフレキシブル基板である構成について説明したが、携帯機器基板７は、リジッド基板であってもよい。この場合、携帯機器基板７に補強板９を設けなくてもよい。
【００２４】
また、上記実施の形態１では、移動体５が、検査装置基板３に対して傾斜した傾斜面５ｃを含んだ傾斜部５ｂを有している構成について説明したが、移動体５が凹形状に湾曲した湾曲面を含んだ湾曲部を有してもよい。これにより、携帯機器基板７は、移動体５により滑らかに乗り上がることができる。
【００２５】
また、上記実施の形態１では、移動体本体５ａには貫通孔５ｄが形成された構成について説明したが、移動体本体５ａには固定軸６が挿入可能な凹部が形成された構成であってもよい。
【００２６】
また、上記実施の形態１では、固定軸６が検査装置基板３に固定された構成について説明したが、固定軸６が移動体５に固定された構成であってもよい。この場合、検査装置基板３には、固定軸６が挿入される貫通孔または凹部が形成される。
【００２７】
また、上記実施の形態１では、電子機器として、検査装置１を例に説明したが、これに限らない。
【００２８】
また、上記実施の形態１では、外部機器として、携帯機器２を例に説明したが、これに限らない。
【符号の説明】
【００２９】
１  検査装置（電子機器）、２  携帯機器（外部機器）、３  検査装置基板（電子機器基板）、４  検査装置コネクタ（電子機器コネクタ）、５  移動体、５ａ  移動体本体、５ｂ  傾斜部、５ｃ  傾斜面、５ｄ  貫通孔、６  固定軸（位置規制案内部材）、７  携帯機器基板（外部機器基板）、８  携帯機器コネクタ（外部機器コネクタ）、９  補強板。
【図１】
2011249528.tif 000003
【図２】
2011249528.tif 000004
【図３】
2011249528.tif 000005
【図４】
2011249528.tif 000006